(57)【要約】【課題】使用者が太い筆記具を差し留めることを可能とするペンホルダーを提供すること。【解決手段】手帳またはブックカバーの内部に配置されるペンホルダー１は、一方の側縁１０ａが手帳またはブックカバーの中央部分に接続され、他方の側縁１０ｂが手帳またはブックカバーの外縁近傍に配置される板状体に形成された仕切り部１０と、仕切り部１０に設けられ、ペンが固定され、ベルト形状に形成されたペン支持部２０と、を備え、仕切り部１０にはペン支持部２０が挿通する孔１０ｃが形成され、ペン支持部２０は、少なくともその一部が伸縮性を有する素材で形成され、一端が、仕切り部１０の他方の側縁１０ｂに接合され、他端が仕切り部の孔１０ｃに挿通されてから、仕切り部の一方の側縁１０a側に接合されている。【選択図】図１
2015104914.tif 000002
【特許請求の範囲】
【請求項１】
手帳またはブックカバーの内部に配置されるペンホルダーであって、一方の側縁が手帳またはブックカバーの中央部分に接続され、他方の側縁が手帳またはブックカバーの外縁近傍に配置される板状体に形成された仕切り部と、仕切り部に設けられ、ペンが固定され、ベルト形状に形成されたペン支持部と、を備え、仕切り部にはペン支持部が挿通する孔が形成され、ペン支持部は、少なくともその一部が伸縮性を有する素材で形成され、一端が、仕切り部の他方の側縁に接合され、他端が仕切り部の孔に挿通されてから、仕切り部の一方の側縁側に接合されているペンホルダー。
【請求項２】
ペン支持部は、一端から中間部までに配置される第一部材と、第一部材の端部に接続され、伸縮性を有する素材で形成された第二部材と、を有し、第二部材は仕切り部の孔から、仕切り部の一方の側縁の間に配置される請求項１に記載のペンホルダー。
【請求項３】
仕切り部は、互いに部分的に接合された表面を形成する表部材と、裏面を形成する裏部材とを備え、表部材と裏部材とが重なり、互いに接合されていない非接合部を有し、第二部材は、非接合部に配置される請求項２に記載のペンホルダー。
【発明の詳細な説明】
【技術分野】
【０００１】
本発明は、ペンホルダーに関し、詳しくは、手帳またはブックカバーの内部に配置されるペンホルダーに関する。
【背景技術】
【０００２】
従来の手帳等のペンホルダーには、革等の素材を筒型の輪状にして、手帳等の本体の一辺に縫合することにより、筆記具を差し留められるようにしたものが多くある。
【先行技術文献】
【特許文献】
【０００３】
【特許文献１】実用新案登録第3138073号
【発明の概要】
【発明が解決しようとする課題】
【０００４】
従来の手帳等のペンホルダーは、革等の素材を筒型の輪状にして手帳等の本体の一辺に縫合することにより、筆記具を差し留められるようにされており、ペンホルダー自体に弾性がないものが多く、製作者が想定した筆記具の太さより太い筆記具をペンホルダーに差し留めることができなかった。
【０００５】
本発明は、このような従来の構造が有していた問題を解決しようとするものであり、使用者が太い筆記具を差し留めることを可能にするペンホルダーを提供することを目的とするものである。
【課題を解決するための手段】
【０００６】
（１）手帳またはブックカバーの内部に配置されるペンホルダーであって、一方の側縁が手帳またはブックカバーの中央部分に接続され、他方の側縁が手帳またはブックカバーの外縁近傍に配置される板状体に形成された仕切り部と、仕切り部に設けられ、ペンが固定され、ベルト形状に形成されたペン支持部と、を備え、仕切り部にはペン支持部が挿通する孔が形成され、ペン支持部は、少なくともその一部が伸縮性を有する素材で形成され、一端が、仕切り部の他方の側縁に接合され、他端が仕切り部の孔に挿通されてから、仕切り部の一方の側縁側に接合されているペンホルダー。
【０００７】
（１）の発明によれば、ペンが固定されるペン支持部の少なくともその一部を伸縮性を有する素材で形成したので、使用者が太い筆記具をペンホルダーに差し留めることができる。
【０００８】
（２）ペン支持部は、一端から中間部までに配置される第一部材と、第一部材の端部に接続され、伸縮性を有する素材で形成された第二部材と、を有し、第二部材は仕切り部の孔から、仕切り部の一方の側縁の間に配置される(１)に記載のペンホルダー。
【０００９】
ここで、ゴム等の伸縮性のある素材でペンホルダーが製作されていても、ゴム等がむき出した状態だと、ゴム等の劣化の問題や耐久性の問題となる。しかしながら、（２）の発明によれば、伸縮性を有する素材で形成された第二部材は、仕切り部の孔から仕切り部の一方の側縁の間に配置されるので、ゴム等の弾性素材を仕切り部の裏側に隠すことにより、ゴム等の劣化を防ぐことができる。
【００１０】
（３）仕切り部は、互いに部分的に接合された表面を形成する表部材と、裏面を形成する裏部材とを備え、表部材と裏部材とが重なり、互いに接合されていない非接合部を有し、第二部材は、非接合部に配置される（２）に記載のペンホルダー。
【００１１】
ここで、ゴム等がむき出した状態であると、外観上、手帳全体としての高級感を損ねるものである。しかしながら、（３）の発明によれば、表部材と裏部材とが重なり、互いに接合されていない非接合部を有し、第二部材は、非接合部に配置されるので、耐久性を向上させ、外観上も手帳全体としての高級感を損なわない。
【発明の効果】
【００１２】
本発明によれば、使用者が太い筆記具を差し留めることができるペンホルダーを提供できる。
【図面の簡単な説明】
【００１３】
【図１】本発明の実施形態に係るペンホルダー１を説明する図である。
【図２】本実施形態のペンホルダー１の断面図である。
【発明を実施するための形態】
【００１４】
以下、本発明の実施の形態を図１と図２に基づいて説明する。
図１は、本発明の実施形態に係るペンホルダー１を説明する図である。
図２は、本実施形態のペンホルダー１の断面図である。
【００１５】
ペンホルダー１は、手帳またはブックカバーの内部に配置され、仕切り部１０と、ペン支持部２０とを備える。
【００１６】
仕切り部１０は、一方の側縁１０ａが手帳またはブックカバーの中央部分に接続され、他方の側縁１０ｂが手帳またはブックカバーの外縁近傍に配置される板状体に形成されている。
仕切り部１０にはペン支持部２０が挿通する孔１０ｃが形成され、図２に示すように、仕切り部１０は、互いに部分的に接合された表面を形成する表部材１１と、裏面を形成し、孔１０ｃが形成された裏部材１２とを備え、表部材１１と裏部材１２とが重なり、互いに接合されていない非接合部１３を有し、第二部材２２は、非接合部に配置される。
仕切り部１０は、本実施形態において、手帳またはブックカバーとは異なる部材として説明しているが、これに限らず、仕切り部１０は、手帳またはブックカバーの表表紙または背表紙とすることができる。
【００１７】
ペン支持部２０は、ペンが固定され、ベルト形状に形成されている。
ペン支持部２０は、少なくともその一部が伸縮性を有する素材で形成され、一端が、仕切り部１０の他方の側縁１０ｂに接合され、他端が仕切り部の孔１０ｃに挿通されてから、仕切り部１０の一方の側縁１０aに接合され、詳細には、ペン支持部２０は、一端から中間部までに配置される第一部材２１と、第一部材２１の端部に一端が接続され、伸縮性を有する素材で形成された第二部材２２と、第二部材２２の他端にその一端が接続され、その他端が仕切り部１０の一方の側縁１０a側に接合される第三部材２３と、を有し、第二部材２２は仕切り部の孔１０ｃから、仕切り部１０の一方の側縁１０ａの間に配置される。
第一部材２１及び第三部材２３は、革、合皮、合成樹脂等の任意の素材で形成することができる。
なお、第三部材２３を省略し、第二部材２２を仕切り部１０の一方の側縁１０aに接合させてもよい。
【符号の説明】
【００１８】
１  ペンホルダー
１０  仕切り部
１０a   一方の側縁
１０ｂ  他方の側縁
１０c   仕切り部の孔
１１  表部材
１２  裏部材
１３  非接合部
２０  ペン支持部
２１  第一部材
２２  第二部材
２３  第三部材
【図１】
2015104914.tif 000003
【図２】
2015104914.tif 000004